(57)【要約】      （修正有）【課題】様々な運動効果を得ることができ、機能性を向上させることができるマッサージ健身器を提供する。【解決手段】マッサージ健身器の構造を提供するもので、板状の主体１０の上面１１には複数の突起物１２が配列された脚底マッサージ区域を有し、脚底マッサージ区域のかかとを乗せる側に端末縁１３が形成され、主体の底面に弧曲面が形成され、その中央に配列された凸縁上に複数のマッサージ用突起物を有し、主体に設置された付属体２０は組み付け面２１を有し、組み付け面は両端付近に挿入柱２２を有し、組み付け面と反対側の面は半円弧形状の接地面を有し、上面及び底面は相対する複数の嵌入溝１７を有し、主体の両端に配置される嵌入溝間の距離と付属体の挿入柱との間の距離が等しく、付属体の挿入柱を、上面、或は底面の嵌入溝に嵌入結合させ、付属体を上面、或は底面１４に選択して設置する構成とされる。【選択図】図１
2005160620.tif 000002
【特許請求の範囲】
【請求項１】
板状の主体を有し、
上記主体の上面に複数の突起物が配列された脚底マッサージ区域を有し、上記脚底マッサージ区域のかかとを乗せる側に端末縁が形成され、
上記主体の底面には弧曲面が形成され、上記弧曲面の中央には２本の間隔を開けて配列された凸縁を有し、上記凸縁上には間隔を開けて配列された複数のマッサージ用突起物を有し、
上記主体に付属体が設置され、上記付属体は組み付け面を有し、上記組み付け面は両端付近にそれぞれ挿入柱を有し、上記組み付け面と反対側の面は半円弧形状の接地面を有し、
上記上面及び上記底面は、それぞれ相対する複数の嵌入溝を有し、上記主体の両端に配置される各嵌入溝間の距離と、上記付属体の２つの上記挿入柱との間の距離が等しく、上記付属体の上記挿入柱を、上記上面、或は上記底面の上記嵌入溝に嵌入結合させ、上記付属体を上記上面、或は上記底面に選択して設置することを特徴とするマッサージ健身器。
【請求項２】
上記底面上の上記端末縁に一番近い上記嵌入溝は、滑り止めを嵌入結合させ、
上記滑り止めは、ゴム製で一体成型され、
上記滑り止めの結合端は、上記主体の上記嵌入溝に嵌入固定させる凸部を具備することを特徴とする請求項１記載のマッサージ健身器。
【請求項３】
上記付属体の上記接地面の中段にもう１つの凹弧面を形成することを特徴とする請求項１記載のマッサージ健身器。
【発明の詳細な説明】
【技術分野】
【０００１】
本発明は一種のマッサージ健身器の構造に係るものであり、特に、付属体を主体の上面或は底面に選択して設置することができるマッサージ健身器の構造に関するものである。
【背景技術】
【０００２】
従来、健身器は空間や時間の制限を受けないという利点から、徐々に現代人にとって運動或はトレーニングをするのに必要なものとなってきている。従来の脚用又は身体背部用のマッサージ健身器は単一機能、用途であるものがほとんどである。このため、業者間で２つ又は２つ以上のマッサージ機能を結合させた一種の脚用、身体背部両用マッサージ健身器が開発され、現在使用されている両用マッサージ健身器は開発されたばかりで、機能的な面で理想的ではなく、改良が待たれている。
【発明の開示】
【発明が解決しようとする課題】
【０００３】
上記のように、従来の脚用又は身体背部用のマッサージ健身器は単一機能、用途であり、様々な運動効果を得ることができず機能性に欠けるという問題点があった。
【０００４】
本発明は、様々な運動効果を得ることができ、機能性を向上させることができるマッサージ健身器を提供することを目的とする。
【課題を解決するための手段】
【０００５】
前記の目的を図るため、本発明の請求項１に記載されるように、板状の主体を有し、上記主体の上面に複数の突起物が配列された脚底マッサージ区域を有し、上記脚底マッサージ区域のかかとを乗せる側に端末縁が形成され、上記主体の底面には弧曲面が形成され、上記弧曲面の中央には２本の間隔を開けて配列された凸縁を有し、上記凸縁上には間隔を開けて配列された複数のマッサージ用突起物を有し、上記主体に１つの付属体が設置され、上記付属体は１つの組み付け面を有し、上記組み付け面は両端付近にそれぞれ１つの挿入柱を有し、上記付属体の上記組み付け面と反対側の面は半円弧形状の接地面を有し、上記上面及び上記底面は、それぞれ相対する複数の嵌入溝を有し、上記主体の両端に配置される各嵌入溝間の距離と、上記付属体の２つの上記挿入柱との間の距離が等しく、上記付属体の上記挿入柱を、上記上面、或は上記底面の上記嵌入溝に嵌入結合させ、上記付属体を上記上面、或は上記底面に選択して設置する構成とされる。
【０００６】
このようなマッサージ健身器において、板状の主体の上面には複数の突起物が配列された脚底マッサージ区域を有し、脚底マッサージ区域のかかとを乗せる側に端末縁が形成され、主体の底面に弧曲面が形成され、その中央に配列された凸縁上に複数のマッサージ用突起物を有し、主体に設置された付属体は組み付け面を有し、組み付け面は両端付近に挿入柱を有し、組み付け面と反対側の面は半円弧形状の接地面を有し、上面及び底面は相対する複数の嵌入溝を有し、主体の両端に配置される嵌入溝間の距離と付属体の挿入柱との間の距離が等しく、付属体の挿入柱を、上面、或は底面の嵌入溝に嵌入結合させ、付属体を上面、或は底面に選択して設置することにより、様々な運動効果を得ることができ、機能性を向上させることができる。
【０００７】
前記の目的を図るため、本発明の請求項２に記載されるように、上記底面上の上記端末縁に一番近い上記嵌入溝は、滑り止めを嵌入結合させ、上記滑り止めは、ゴム製で一体成型され、上記滑り止めの結合端は、上記主体の上記嵌入溝に嵌入固定させる凸部を具備する構成としてもよい。
【０００８】
このようなマッサージ健身器において、底面上の端末縁に一番近い嵌入溝は、滑り止めを嵌入結合させ、滑り止めはゴム製で一体成型され、滑り止めの結合端は主体の嵌入溝に嵌入固定させる凸部を具備することにより、主体が揺動される時、一種の滑り止めになり、使用時の安全性を高めることができる。
【０００９】
前記の目的を図るため、請求項３に記載されるように、上記付属体の上記接地面の中段にもう１つの凹弧面を形成する構成としてもよい。
【００１０】
このようなマッサージ健身器において、付属体の接地面の中段に凹弧面を形成することにより、様々な運動効果を得ることができ、機能性を向上させることができる。
【発明の効果】
【００１１】
本発明のマッサージ健身器において、主体の付属体を取り付ける場所を上面或は底面にすることができる可選択性構造設計により主体の揺動幅の大きさを変化させることができ、又主体の上面に付属体を取り付け、付属体を接地させる（即ち、逆様）状態の時、底面上のマッサージ用突起物が上向きになり、使用者が仰向けで背部を主体上に乗せ、揺動動作を行うことによりマッサージ効果を達成することができる。
【００１２】
また、本発明のマッサージ健身器において、主体の底面上の端末縁に一番近い嵌入溝は滑り止めを嵌入結合させる構造により、滑り止めを設置することができ、主体が揺動される時、一種の滑り止めになり、使用時の安全性を高めることができる。
【発明を実施するための最良の形態】
【００１３】
以下に添付図面を参照して本発明の好適な実施の形態を詳細に説明する。
図１は、本発明の一実施例に係るマッサージ健身器の付属体を主体の上面に取り付ける状態を示す斜視図である。図２は、本発明のマッサージ健身器の付属体を主体の底面に取り付ける状態を示す斜視図である。図３は、本発明のマッサージ健身器の付属体を主体の上面に取り付けた状態を示す側面図である。図４は、本発明のマッサージ健身器の付属体を主体の底面に取り付けた状態を示す側面図である。
【００１４】
図１、２、３、４に示すように、本考案のマッサージ健身器の構造は、主に、１つの板状の主体１０を有し、主体１０の上面１１には、複数の突起物１２が配列されることにより構成される脚底マッサージ区域を有する。脚底マッサージ区域の１つの（かかとを乗せる）側には１つの端末縁１３が形成される。主体１０の底面１４は、弧曲面をなし、弧曲面の中央に２本の間隔を開けて配列された凸縁１５を有する。凸縁１５上には、間隔を開けて配列された複数のマッサージ用突起物１６を有する。
【００１５】
また、本発明のマッサージ健身器の特徴は、主体１０に１つの付属体２０が設置され、付属体２０は１つの組み付け面２１を有し、組み付け面２１は両端付近にそれぞれ１つの挿入柱２２を有する。付属体２０の組み付け面２１と反対側の面には半円弧形状の接地面２３が形成されている。
【００１６】
主体１０の上面１１及び底面１４はそれぞれ相対する複数の嵌入溝１７を有する。主体１０の両端に配置される各嵌入溝１７間の距離と付属体２０の２つの挿入柱２２との間の距離が等しくなるように形成されている。付属体２０の挿入柱２２を上面１１或は底面１４の嵌入溝１７に嵌入結合させることができる構造により、付属体２０を主体１０の上面１１或は底面１４に選択して設置することができる（図１、３及び図２、４を参照）。
【００１７】
図５は、本発明のマッサージ健身器を背中で使用する場合の使用例を示す図である。図６は、本発明のマッサージ健身器を足で使用する場合の使用例を示す図である。図７は、本発明のマッサージ健身器を足で使用する場合の使用例を示す図である。図８は、本発明の嵌入溝が滑り止めを嵌入結合させる状態を示す斜視図である。図９は、本発明の嵌入溝が滑り止めを嵌入結合させた状態を示す断面図である。
【００１８】
図８、９に示すように、主体１０底面１４上の端末縁１３に一番近い嵌入溝１７は滑り止め３０を嵌入結合することができ、滑り止め３０はゴム製で一体成型することができる。滑り止め３０の結合端は凸部３１を具備することにより、主体１０の嵌入溝１７に嵌入且つ固定させることができる。また、付属体２０の接地面２３中段に、もう１つの凹弧面２４を形成することもできる。
【００１９】
上記構造により、主体１０の付属体２０を取り付ける場所を上面１１或は底面１４にすることにより異なる機能を具備させることができる。また、図５に示すように、主体１０の上面１１に付属体２０を取り付け、付属体２０を接地させる状態の時、主体１０の底面１４は上向きになり、使用者が仰向けになり、背部を主体１０上に乗せ、揺動動作を行なうことによりマッサージ効果を達成することができる。
【００２０】
また、図６に示すように、付属体２０を主体１０の底面１４に取り付け、付属体２０を接地させ、使用者が主体１０の上面１１上に足を乗せ、揺動動作を行なう時、底面１４の弧曲面の角度により、更に大きな角度の揺動効果を達成することができる。
【００２１】
また、図７に示すように、上段に記した状態、即ち、付属体２０を主体１０の底面１４に取り付け、付属体２０を接地させた状態において、使用者は立った状態で片足を主体１０の上面１１に乗せ、揺動運動を行なうことにより、異なる種類の運動健身効果を達成することができる。
【００２２】
このように、本発明のマッサージ健身器において、主体の付属体を取り付ける場所を上面或は底面にすることができる可選択性構造設計により主体の揺動幅の大きさを変化させることができ、又主体の上面に付属体を取り付け、付属体を接地させる（即ち、逆様）状態の時、底面上のマッサージ用突起物が上向きになり、使用者が仰向けで背部を主体上に乗せ、揺動動作を行うことによりマッサージ効果を達成することができる。
【００２３】
また、本発明のマッサージ健身器において、主体の底面上の端末縁に一番近い嵌入溝は滑り止めを嵌入結合させる構造により、滑り止めを設置することができ、主体が揺動される時、一種の滑り止めになり、使用時の安全性を高めることができる。
【００２４】
尚、本発明のマッサージ健身器は上記の構成に限定されることなく、本発明のマッサージ健身器を変形及び改良した構成においても適応可能である。
【図面の簡単な説明】
【００２５】
【図１】本発明の一実施例に係るマッサージ健身器の付属体を主体の上面に取り付ける状態を示す斜視図である。
【図２】本発明のマッサージ健身器の付属体を主体の底面に取り付ける状態を示す斜視図である。
【図３】本発明のマッサージ健身器の付属体を主体の上面に取り付けた状態を示す側面図である。
【図４】本発明のマッサージ健身器の付属体を主体の底面に取り付けた状態を示す側面図である。
【図５】本発明のマッサージ健身器を背中で使用する場合の使用例を示す図である。
【図６】本発明のマッサージ健身器を足で使用する場合の使用例を示す図である。
【図７】本発明のマッサージ健身器を足で使用する場合の使用例を示す図である。
【図８】本発明の嵌入溝が滑り止めを嵌入結合させる状態を示す斜視図である。
【図９】本発明の嵌入溝が滑り止めを嵌入結合させた状態を示す断面図である。
【符号の説明】
【００２６】
１０            主体
１１            上面
１２            突起物
１３            端末縁
１４            底面
１５            凸縁
１６            マッサージ用突起物
１７            嵌入溝
２０            付属体
２１            組み付け面
２２            挿入柱
２４            凹弧面
３０            滑り止め
３１            凸部
【図１】
2005160620.tif 000003
【図２】
2005160620.tif 000004
【図３】
2005160620.tif 000005
【図４】
2005160620.tif 000006
【図５】
2005160620.tif 000007
【図６】
2005160620.tif 000008
【図７】
2005160620.tif 000009
【図８】
2005160620.tif 000010
【図９】
2005160620.tif 000011